(57)【要約】【課題】透光性樹脂製折板の材料の延命を図ることができ、しかも、材料の亀裂等による漏水の原因を排除することができ、また、新設および既設の屋根のいずれにも容易に設置することができる折板屋根における透光性樹脂製折板の取付方法および構造を提供する。【解決手段】屋根梁に台形状タイトフレームを取り付け、該台形状タイトフレームの上底部分に採光用の開口部を形成するように上記台形状タイトフレームの左右に金属折板を取り付け、該台形状タイトフレームから上方に延出する金属折板の上部間に台形状の取付用下地金物を架設し、前記開口部を覆うように透光性樹脂製折板を上記取付用下地金物にセットすると共に、該透光性樹脂製折板の外側端部を挟設して固定する。【選択図】  図６
2007191853.tif 000002
【特許請求の範囲】
【請求項１】
屋根梁に台形状タイトフレームを取り付け、該台形状タイトフレームの上底部分に採光用の開口部を形成するように上記台形状タイトフレームの左右に金属折板を取り付け、該台形状タイトフレームから上方に延出する金属折板の上部間に台形状の取付用下地金物を架設し、前記開口部を覆うように透光性樹脂製折板を上記取付用下地金物にセットすると共に、該透光性樹脂製折板の外側端部を挟設して固定することを特徴とする折板屋根における透光性樹脂製折板の取付方法。
【請求項２】
上記取付用下地金物の下端部と、該下端部に締め付け固定される端部挟み込み金物により、上記透光性樹脂製折板の外側端部を挟設して固定することを特徴とする請求項１に記載の折板屋根における透光性樹脂製折板の取付方法。
【請求項３】
上記取付用下地金物の端部に取り付けられた台形状の取付用押え金物により、上記透光性樹脂製折板を押さえることを特徴とする請求項１または２に記載の折板屋根における透光性樹脂製折板の取付方法。
【請求項４】
屋根梁に取り付けられる台形状タイトフレームと、該台形状タイトフレームの上底部分に採光用の開口部を形成するように上記台形状タイトフレームに取り付けられる金属折板と、上記開口部両側の金属折板の上部間に架設される台形状の取付用下地金物と、前記開口部を覆うように上記取付用下地金物にセットされる透光性樹脂製折板と、該透光性樹脂製折板の外側端部を上記取付用下地金物に挟設して固定する手段とから構成されることを特徴とする折板屋根における透光性樹脂製折板の取付構造。
【請求項５】
上記固定手段が、上記取付用下地金物の下端部と、該下端部に締め付け固定される端部挟み込み金物から構成されることを特徴とする請求項４に記載の折板屋根における透光性樹脂製折板の取付構造。
【請求項６】
上記透光性樹脂製折板を押さえる台形状の取付用押え金物を設けることを特徴とする請求項４または５に記載の折板屋根における透光性樹脂製折板の取付構造。
【発明の詳細な説明】
【技術分野】
【０００１】
本発明は、太陽光を取り入れるための、折板屋根における透光性樹脂製折板の取付方法および構造に関するものである。
【背景技術】
【０００２】
従来の折板屋根における透光性樹脂製折板の取付方法および構造としては、折版屋根板の一部に形成した採光用開口部を透光性樹脂よりなる略同形の折板状の明り採り部材（透光性樹脂）により覆い、その頂部の傾斜側面部分を貫通してボルト等の留め具を通し、上記折版屋根板にナット等で固着するものがあった。（例えば、特許文献１参照）
また従来、タイトフレームの頂部に設けたハゼ部に、金属製折版屋根材の端縁部を係合せしめ、この係合端縁部にポリカーボネート製折版屋根材の端縁部を被せるようにして接続し、この接続部に金属製キャップを被せて挟圧し、ここにシールパッキンを介在させたものがあった。（例えば、特許文献２参照）
【０００３】
しかし、上記特許文献１の従来技術は、明り採り部材（透光性樹脂）に穴を明けて固着するため、その穴断面に生じる微妙な傷より樹脂の経年劣化の進行を早めて強度低下を招いたり、また、樹脂製の明り採り部材の端縁部を金属製の折版屋根板に固着するので、熱膨張による伸縮率の差から両材料が擦れ合い、その結果、表面に微細な傷が生じることから、そこから亀裂が発生して漏水の原因となる等の問題があった。
さらに、上記特許文献２の従来技術も、金属製折版屋根材と樹脂製折版屋根材の端縁部同士が挟圧状態で接続されるため、熱膨張による伸縮率の差から両材料が擦れ合い、その結果、樹脂製の明り取り部材の方が傷付き、そこから亀裂が発生して漏水の原因となる等の問題があった。
【特許文献１】実公昭６１−１３６１７号公報
【特許文献２】特許第３３７３３８０号公報
【発明の開示】
【発明が解決しようとする課題】
【０００４】
本発明の解決しようとする課題は、透光性樹脂製折板の材料の延命を図ることができ、しかも、材料の亀裂等による漏水の原因を排除することができ、また、新設および既設の屋根のいずれにも容易に設置することができる折板屋根における透光性樹脂製折板の取付方法および構造を提供することにある。
【課題を解決するための手段】
【０００５】
本発明の折板屋根における透光性樹脂製折板の取付方法は、屋根梁に台形状タイトフレームを取り付け、該台形状タイトフレームの上底部分に採光用の開口部を形成するように上記台形状タイトフレームの左右に金属折板を取り付け、該台形状タイトフレームから上方に延出する金属折板の上部間に台形状の取付用下地金物を架設し、前記開口部を覆うように透光性樹脂製折板を上記取付用下地金物にセットすると共に、該透光性樹脂製折板の外側端部を挟設して固定することを特徴とする。また、上記取付用下地金物の下端部と、該下端部に締め付け固定される端部挟み込み金物により、上記透光性樹脂製折板の外側端部を挟設して固定することを特徴とする。さらに、上記取付用下地金物の端部に取り付けられた台形状の取付用押え金物により、上記透光性樹脂製折板を押さえることを特徴とする。
【０００６】
本発明の折板屋根における透光性樹脂製折板の取付構造は、屋根梁に取り付けられる台形状タイトフレームと、該台形状タイトフレームの上底部分に採光用の開口部を形成するように上記台形状タイトフレームに取り付けられる金属折板と、上記開口部両側の金属折板の上部間に架設される台形状の取付用下地金物と、前記開口部を覆うように上記取付用下地金物にセットされる透光性樹脂製折板と、該透光性樹脂製折板の外側端部を上記取付用下地金物に挟設して固定する手段とから構成されることを特徴とする。また、上記固定手段が、上記取付用下地金物の下端部と、該下端部に締め付け固定される端部挟み込み金物から構成されることを特徴とする。さらに、上記透光性樹脂製折板を押さえる台形状の取付用押え金物を設けることを特徴とするものである。
【発明の効果】
【０００７】
本発明の折板屋根における透光性樹脂製折板の取付方法および構造は、下記のような利点がある。
１）透光性樹脂製折板に対して現場や工場での穴明けを必要としない、また固着による拘束をしない取り付け方法および構造なので、材料の延命を図り、漏水の原因を排除することができる。
２）経年劣化するシーリングを一切使用しないので、シーリングの打ち替えのメンテナンスを一切必要としない。
３）台風時でも透光性樹脂製折板の爆風破断の懸念がない。
４）台形状タイトフレームのある折板形状の屋根であれば、全て応用が可能である。
５）新設の場合だけでなく、既存建物の改修の場合などにおいても、どこでも明かり取りの欲しい所に設置が可能である。
６）ノンシールおよびノンビスの構造なので、スパナ１本で透光性樹脂製折板の取替を容易に行うことができる。
【発明を実施するための最良の形態】
【０００８】
図１ないし図６は、本発明の折板屋根における透光性樹脂製折板の取付方法および取付構造を説明する実施例を示す図であって、１は屋根梁、２は台形状タイトフレーム、２ａは台形状タイトフレーム２の上底部分、２´は通常タイトフレーム、３は金属折板、３ａは金属折板３の上部、４は取付用下地金物、４ａは補強材、４ｂは突設ボルト、５は透光性樹脂製折板、６は端部挟み込み金物、７は取付用押え金物である。
【０００９】
図１において、上記台形状タイトフレーム２は、上記通常タイトフレーム２´の間に配置して取り付けられているが、これに限定するものではない。図２および３において、上記台形状タイトフレーム２の左右に金属折板３が取り付けられて、該台形状タイトフレーム２の上底部分２ａに採光用の開口部Ｂが形成される。該金属折板３の上部３ａは、上記台形状タイトフレーム２から上方に延出している。
【００１０】
図４に示すように、上記開口部Ｂの左右の金属折板３の上部３ａ間には、台形状の取付用下地金物４が架設される。該取付用下地金物４の中間部には補強材４ａが取り付け固定され、また、左右端部には突設ボルト４ｂが外方に向けて植設されている。
【００１１】
次に、図５に示すように、上記開口部Ｂを覆うように上記取付用下地金物４に透光性樹脂製折板５をセットする。この際、該透光性樹脂製折板５の外端縁部５ａが、上記突設ボルト４ｂの手前（上側）に位置するように形成およびセットされる。上記透光性樹脂製折板５は、ポリカーボネート、ＦＲＰなどの樹脂を素材とし、例えば、三菱エンジニアリングプラスチックス株式会社製の商品名「ユーピロン・サンガード折版」などを使用する。なお、突設ボルト４ｂには上記透光性樹脂製折板５より厚いワッシャ等のスペーサーを入れておく。
【００１２】
続いて、図５に示すように、上記透光性樹脂製折板５の外端縁部５ａを上から挟むように、端部挟み込み金物６を上記取付用下地金物４の突設ボルト４ｂに固定して、透光性樹脂製折板５の外端縁部５ａが風などによりバタツク（遊動する）のを防止する。この時、上記透光性樹脂製折板５は、取付用下地金物４と突設ボルト４ｂおよび端部挟み込み金物６との間に囲い込まれているだけで固着されてはいない。
【００１３】
さらに、図６に示すように、上記透光性樹脂製折板５の上面形状にほぼ沿うような台形状の取付用押え金物７を上からセットして、その両端部７ａに開けた穴（図示せず）に上記ボルト４ｂを通して、ナット５ｃにより締め付け固定する。
【００１４】
なお、上記金属製折板３と上記透光性樹脂製折板５との間に止水パッキン（図示せず）を挟み込むことにより、特に暴風雨時の雨漏り防止をより完璧にすることができる。止水パッキンは、例えば断面１０×２０ｍｍ程度の細長いスポンジを透光性樹脂製折板５の外端縁部５ａの金属折板側に貼り付けておくのが好ましい。また、上記透光性樹脂製折板５と接触する取付用下地金物４や端部挟み込み金物６や取付用押え金物７の表面を、例えばフッ素樹脂焼付塗装などの摩擦活性を良くする加工を施す。
【００１５】
上記実施例では、突設ボルト４ｂとナット５ｃから成る固定手段により端部挟み込み金物６を固定するように構成したが、本発明の固定手段はこれに限定するものではなく、透光性樹脂製折板５の外端縁部５ａを金属折板３との間で挟み付けるように、上記端部挟み込み金物６を取り付け固定する構成であればいずれでもよい。
【産業上の利用可能性】
【００１６】
本発明の折板屋根における透光性樹脂製折板の取付方法および構造は、下記の用途にも適用できる。
１）台風時などに上下より風圧を受ける施設の屋根（屋外の開放的な施設、例えば、駅、工場、アーケードなどの上屋）。
２）メンテナンスが行き届かない施設や困難な施設の屋根（駅、工場、アーケードなど）。
３）既存建物の改修工事などで、既に出来ている建物への明かり取りの取替や増設、追加新設などを必要とする屋根。
４）新設後に、明かり取りの取替や増設などを必要とする施設の屋根。
【図面の簡単な説明】
【００１７】
【図１】本発明方法の一実施例の第１のステップを示す説明図である。
【図２】図１に続く第２のステップを示す説明図である。
【図３】図２に続く第３のステップを示す説明図である。
【図４】図３に続く第４のステップを示す説明図である。
【図５】図４に続く第５のステップを示す説明図である。
【図６】図５に続く第６のステップを示す説明図である。
【符号の説明】
【００１８】
１    屋根梁
２    台形状タイトフレーム
２ａ  上底部分
２´  通常タイトフレーム
３    金属折板
３ａ  上部
４    取付用下地金物
４ａ  補強材
４ｂ  突設ボルト
５    透光性樹脂製折板
５ａ  外端縁部
６    端部挟み込み金物
７    取付用押え金物
Ｂ    開口部
【図１】
2007191853.tif 000003
【図２】
2007191853.tif 000004
【図３】
2007191853.tif 000005
【図４】
2007191853.tif 000006
【図５】
2007191853.tif 000007
【図６】
2007191853.tif 000008